(57)【要約】【課題】自局又は相手局の受信状態に応じて適切なハンドオーバを行うことができるハンドオーバ方法及び該方法に用いる無線通信装置を提供する。【解決手段】複数のセル毎に設けられる基地局と、前記複数のセルで構成されるエリア内を移動する移動局との間でデータの送受信を行い、前記データに基づいて通信相手局を切り替えるハンドオーバ方法であって、相手局の受信状態を検出する受信状態検出ステップ（Ｓ１０５）と、前記検出された相手局の受信状態に基づいて、前記相手局に送信するデータを制御する送信データ制御ステップ（Ｓ１１０）とを備える。【選択図】  図２
2004208177.tif 000002
【特許請求の範囲】
【請求項１】
複数のセル毎に設けられる基地局と、前記複数のセルで構成されるエリア内を移動する移動局との間でデータの送受信を行い、前記データに基づいて通信相手局を切り替えるハンドオーバ方法であって、
自局が、相手局の受信状態を検出する受信状態検出ステップと、
前記検出された相手局の受信状態に基づいて、前記自局が、前記相手局に送信するデータを制御する送信データ制御ステップとを備えることを特徴とするハンドオーバ方法。
【請求項２】
前記受信状態検出ステップでは、前記相手局からの前記データの再送要求の有無又は前記相手局から送信されるデータに含まれる送信電力制御ビットにより、前記相手局の受信状態を検出することを特徴とする請求項１記載のハンドオーバ方法。
【請求項３】
前記送信データ制御ステップでは、前記相手局に送信するデータに含まれる送信電力制御ビットの送信電力制御幅の変更、前記相手局に送信するデータの送信周期の変更、又は前記相手局に送信するデータの送信タイミングの変更により、前記データの制御を行うことを特徴とする請求項１又は請求項２記載のハンドオーバ方法。
【請求項４】
複数のセル毎に設けられる基地局と、前記複数のセルで構成されるエリア内を移動する移動局との間でデータの送受信を行い、前記データに基づいて通信相手を切り替えるハンドオーバ方法であって、
自局の受信状態を検出する受信状態検出ステップと、
前記検出された自局の受信状態に基づいて、相手局から送信されるデータを制御する送信データ制御ステップとを備えることを特徴とするハンドオーバ方法。
【請求項５】
前記送信データ制御ステップでは、前記相手局に送信するデータに含まれる送信電力制御ビットの変更、前記送信電力制御ビットの送信電力制御幅の変更、前記相手局から送信されるデータの送信周期の変更、又は前記相手局から送信されるデータの送信タイミングの変更により、前記データの制御を行うことを特徴とする請求項４記載のハンドオーバ方法。
【請求項６】
前記受信状態検出ステップでは、希望波受信信号電力、希望波受信信号電力対干渉波電力比、伝播路損失、又はフェージングピッチの少なくとも１つの情報に基づいて、前記自局の受信状態を検出することを特徴とする請求項４又は請求項５記載のハンドオーバ方法。
【請求項７】
複数のセル毎に設けられる基地局と、前記複数のセルで構成されるエリア内を移動する移動局との間でデータの送受信を行い、前記データに基づいて通信相手を切り替えるハンドオーバ方法であって、
自局の受信状態を検出する受信状態検出ステップと、
前記検出された自局の受信状態に基づいて、相手局に送信するデータを制御する送信データ制御ステップとを備えることを特徴とするハンドオーバ方法。
【請求項８】
前記送信データ制御ステップでは、前記相手局に送信するデータの送信周期の変更又は前記相手局に送信するデータの送信タイミングの変更により、前記データの制御を行うことを特徴とする請求項７記載のハンドオーバ方法。
【請求項９】
前記受信状態検出ステップでは、希望波受信信号電力、希望波受信信号電力対干渉波電力比、伝播路損失、フェージングピッチ、前記相手局との通信切断の有無、又は前記相手局との再通信の有無の少なくとも１つの情報に基づいて、前記自局の受信状態を検出することを特徴とする請求項７又は請求項８記載のハンドオーバ方法。
【請求項１０】
複数のセル毎に設けられる基地局と、前記複数のセルで構成されるエリア内を移動する移動局との間でデータの送受信を行い、前記データに基づいて通信相手を切り替える移動通信に用いる無線通信装置であって、
相手局の受信状態を検出する受信状態検出手段と、
前記検出された相手局の受信状態に基づいて、前記相手局に送信するデータを制御する送信データ制御手段とを備えることを特徴とする無線通信装置。
【請求項１１】
前記相手局に送信するデータの送信周期を変更するデータ送信周期変更手段を備え、
前記送信データ制御手段は、前記データ送信周期変更手段による前記送信周期の変更に基づいて、前記データの制御を行うことを特徴とする請求項１０記載の無線通信装置。
【請求項１２】
前記相手局に送信するデータの送信タイミングを変更するデータ送信タイミング変更手段を備え、
前記送信データ制御手段は、前記データ送信タイミング変更手段による前記送信タイミングの変更に基づいて、前記データの制御を行うことを特徴とする請求項１０記載の無線通信装置。
【請求項１３】
前記相手局に送信するデータに含まれる送信電力制御ビットの送信電力制御幅を変更する送信電力制御幅変更手段を備え、
前記送信データ制御手段は、前記送信電力制御幅変更手段による前記送信電力制御幅の変更に基づいて、前記データの制御を行うことを特徴とする請求項１０記載の無線通信装置。
【請求項１４】
前記相手局からのデータの再送要求の有無を検出する再送要求検出手段を備え、
前記受信状態検出手段は、前記再送要求の有無に基づいて前記相手局の受信状態を検出することを特徴とする請求項１０乃至請求項１３のいずれか記載の無線通信装置。
【請求項１５】
前記相手局から送信されるデータに含まれる送信電力制御ビットを検出する送信電力制御ビット検出手段を備え、
前記受信状態検出手段は、前記送信電力制御ビットに基づいて前記相手局の受信状態を検出することを特徴とする請求項１０乃至請求項１３のいずれか記載の無線通信装置。
【請求項１６】
複数のセル毎に設けられる基地局と、前記複数のセルで構成されるエリア内を移動する移動局との間でデータの送受信を行い、前記データに基づいて通信相手を切り替える移動通信に用いる無線通信装置であって、
自局の受信状態を検出する受信状態検出手段と、
前記検出された自局の受信状態に基づいて、相手局から送信されるデータを制御する送信データ制御手段とを備えることを特徴とする無線通信装置。
【請求項１７】
前記相手局から送信されるデータの送信周期を変更するデータ送信周期変更手段を備え、
前記送信データ制御手段は、前記データ送信周期変更手段による前記送信周期の変更に基づいて、前記データの制御を行うことを特徴とする請求項１６記載の無線通信装置。
【請求項１８】
前記相手局から送信されるデータの送信タイミングを変更するデータ送信タイミング変更手段を備え、
前記送信データ制御手段は、前記データ送信タイミング変更手段による前記送信タイミングの変更に基づいて、前記データの制御を行うことを特徴とする請求項１６記載の無線通信装置。
【請求項１９】
前記相手局に送信するデータに含まれる送信電力制御ビットの送信電力制御幅を変更する送信電力制御幅変更手段を備え、
前記送信データ制御手段は、前記送信電力制御幅変更手段による前記送信電力制御幅の変更に基づいて、前記データの制御を行うことを特徴とする請求項１６記載の無線通信装置。
【請求項２０】
前記相手局に送信するデータに含まれる送信電力制御ビットを変更する送信電力制御ビット変更手段を備え、
前記送信データ制御手段は、前記送信電力制御ビット変更手段による前記送信電力制御ビットの変更に基づいて、前記データの制御を行うことを特徴とする請求項１６記載の無線通信装置。
【請求項２１】
前記自局の希望波受信信号電力を検出する希望波受信信号電力検出手段と、
前記自局の希望波受信信号電力対干渉波電力比を検出する希望波受信信号電力対干渉波電力比検出手段と、
前記自局の伝播路損失を検出する伝播路損失検出手段と、
前記自局のフェージングピッチを検出するフェージングピッチ検出手段とを備え、
前記受信状態検出手段は、希望波受信信号電力検出手段、希望波受信信号電力対干渉波電力比検出手段、伝播路損失検出手段、又はフェージングピッチ検出手段の少なくとも１つによる検出結果に基づいて、前記自局の受信状態を検出することを特徴とする請求項１６乃至請求項２０のいずれか記載の無線通信装置。
【請求項２２】
複数のセル毎に設けられる基地局と、前記複数のセルで構成されるエリア内を移動する移動局との間でデータの送受信を行い、前記データに基づいて通信相手を切り替える移動通信に用いる無線通信装置であって、
自局の受信状態を検出する受信状態検出手段と、
前記検出された自局の受信状態に基づいて、相手局に送信するデータを制御する送信データ制御手段とを備えることを特徴とする無線通信装置。
【請求項２３】
前記相手局に送信するデータの送信周期を変更するデータ送信周期変更手段を備え、
前記送信データ制御手段は、前記データ送信周期変更手段による前記送信周期の変更に基づいて、前記データの制御を行うことを特徴とする請求項２２記載の無線通信装置。
【請求項２４】
前記相手局に送信するデータの送信タイミングを変更するデータ送信タイミング変更手段を備え、
前記送信データ制御手段は、前記データ送信タイミング変更手段による前記送信タイミングの変更に基づいて、前記データの制御を行うことを特徴とする請求項２２記載の無線通信装置。
【請求項２５】
前記自局の希望波受信信号電力を検出する希望波受信信号電力検出手段と、
前記自局の希望波受信信号電力対干渉波電力比を検出する希望波受信信号電力対干渉波電力比検出手段と、
前記自局の伝播路損失を検出する伝播路損失検出手段と、
前記自局のフェージングピッチを検出するフェージングピッチ検出手段と、
前記相手局との通信切断の有無を検出する通信切断検出手段と、
前記相手局との通信の再接続の有無を検出する再接続検出手段とを備え、
前記受信状態検出手段は、希望波受信信号電力検出手段、希望波受信信号電力対干渉波電力比検出手段、伝播路損失検出手段、フェージングピッチ検出手段、通信切断検出手段、又は再接続検出手段の少なくとも１つの検出結果に基づいて、前記自局の受信状態を検出することを特徴とする請求項２２乃至請求項２４のいずれか記載の無線通信装置。
【発明の詳細な説明】
【０００１】
【発明の属する技術分野】
本発明は、複数のセル毎に設けられる基地局と、前記複数のセルで構成されるエリア内を移動する移動局との間でデータの送受信を行い、そのデータに基づいて通信相手局を切り替えるハンドオーバ方法及び無線通信装置に関する。
【０００２】
【従来の技術】
携帯電話機などを用いた移動体通信システムにおいては、情報伝送の際に基地局と移動局との距離に応じて自らの送信電力を制御し、基地局に到達する信号の電力を一定にすることにより、通信チャネル間の干渉を低減して周波数利用効率を向上させる送信電力制御技術が従来から知られている。
【０００３】
特に、複数の通信チャネルを多重化する多元接続型の通信方式の一種である、スペクトラム拡散技術を用いたＣＤＭＡ（Code Division Multiple Access：符号分割多元接続）方式の移動体通信システムにおいては、単一の周波数帯域を複数の利用者が共有することから、電力の大きな信号が小さな信号をマスクする、いわゆる遠近問題が発生する可能性が高く、他局の信号が干渉波として自局の回線品質を劣化させる問題点が生じる。
【０００４】
この問題点を解決する為に、従来、種々の送信電力制御技術の検討がなされており、特に瞬時変動する干渉信号に追従する送信電力制御方式として、クローズドループによる送信電力制御方式が知られている。ＣＤＭＡ方式では、特に広ダイナミックレンジ（例えば７０〜８０ｄＢ）かつ高リニアリティ（高線形性）の送信電力制御が要求されており、さらに次世代の移動体通信システムとして現在検討されているＩＭＴ−２０００における広帯域ＣＤＭＡ（Ｗ−ＣＤＭＡなど）方式では、大電力時の送信電力の精度要求が高く、さらなる高精度の送信電力制御が要求される。
【０００５】
図１１は、クローズドループによる従来の送信電力制御方法の一例を示したフローチャートである。基地局と移動局とが通信する場合、基地局は、移動局からの受信波（希望波）の受信電力に基づいて送信電力制御ビットを決定し（Ｓ１１１）、送信信号の中にこの送信電力制御ビットを挿入し、移動局に対して送信する。移動局は、基地局から送信された信号を受信し、受信した信号の中から送信電力制御ビットを抽出し（Ｓ１１５）、この送信電力制御ビットの指示にしたがって、自局の送信電力を制御する（Ｓ１１６）。
【０００６】
同様に、移動局は、基地局からの受信波（希望波）の受信電力に基づいて送信電力制御ビットを決定し（Ｓ１１４）、送信信号の中にこの送信電力制御ビットを挿入し、基地局に対して送信する。基地局は、移動局から送信された信号を受信し、受信信号の中から送信電力制御ビットを抽出し（Ｓ１１２）、この送信電力制御ビットの指示にしたがって、自局の送信電力を制御する（Ｓ１１３）。
【０００７】
このような送信電力制御を行うことにより、移動局の所在位置によらず、基地局及び移動局における受信電力をほぼ一定に保持することが可能となる。
【０００８】
【発明が解決しようとする課題】
移動通信においては、各セル毎に設けられる基地局と複数のセルで構成されるエリア内を移動する移動局との間で通信を行う為、移動局は、各セルにおける受信品質を比較して、通信に最適な基地局に常にハンドオーバする必要がある。
【０００９】
図１１に示した従来の技術による送信電力制御を行う為には、十分な受信品質が必要となるが、上記従来の送信電力制御方式を移動通信で行う場合、ハンドオーバ時には他局からの干渉が大きくなり、自局での希望波受信信号電力対干渉波電力比（ＳＩＲ：Signal-to-Interference power Ratio）が劣化する。この為、自局は、受信品質の変動に追従できなくなり、適切なハンドオーバが困難になってしまうという問題点があった。
【００１０】
本発明は、上記問題点に鑑みて為されたものであって、自局又は相手局の受信状態に応じて適切なハンドオーバを行うことができるハンドオーバ方法及び無線通信装置を提供することを目的とする。
【００１１】
本発明のハンドオーバ方法は、複数のセル毎に設けられる基地局と、前記複数のセルで構成されるエリア内を移動する移動局との間でデータの送受信を行い、前記データに基づいて通信相手局を切り替えるハンドオーバ方法であって、自局が、相手局の受信状態を検出する受信状態検出ステップと、前記検出された相手局の受信状態に基づいて、前記相手局に送信するデータを制御する送信データ制御ステップとを備えることを特徴とする。
【００１２】
これにより、自局が、相手局の受信状態に基づいて、相手局に送信するデータを制御する為、相手局の受信状態に応じて適切にハンドオーバを行うことができる。
【００１３】
又、前記受信状態検出ステップでは、前記相手局からの前記データの再送要求の有無又は前記相手局から送信されるデータに含まれる送信電力制御ビットにより、前記相手局の受信状態を検出することを特徴とする。
【００１４】
これにより、精度良く相手局の受信状態を検出することができる。
【００１５】
又、前記送信データ制御ステップでは、前記相手局に送信するデータに含まれる送信電力制御ビットの送信電力制御幅の変更、前記相手局に送信するデータの送信周期の変更、又は前記相手局に送信するデータの送信タイミングの変更により、前記データの制御を行うことを特徴とする。
【００１６】
これにより、自局は、相手局の急激な受信品質の劣化に追従できる為、適切なハンドオーバを行うことができる。
【００１７】
本発明のハンドオーバ方法は、複数のセル毎に設けられる基地局と、前記複数のセルで構成されるエリア内を移動する移動局との間でデータの送受信を行い、前記データに基づいて通信相手を切り替えるハンドオーバ方法であって、自局の受信状態を検出する受信状態検出ステップと、前記検出された自局の受信状態に基づいて、相手局から送信されるデータを制御する送信データ制御ステップとを備えることを特徴とする。
【００１８】
これにより、自局の受信状態に基づいて相手局から送信されるデータを制御する為、自局の受信状態に応じて適切にハンドオーバを行うことができる。
【００１９】
又、前記送信データ制御ステップでは、前記相手局に送信するデータに含まれる送信電力制御ビットの変更、前記送信電力制御ビットの送信電力制御幅の変更、前記相手局から送信されるデータの送信周期の変更、又は前記相手局から送信されるデータの送信タイミングの変更により、前記データの制御を行うことを特徴とする。
【００２０】
これにより、相手局が、自局の急激な受信品質の劣化に追従できる為、適切なハンドオーバを行うことができる。
【００２１】
又、前記受信状態検出ステップでは、希望波受信信号電力、希望波受信信号電力対干渉波電力比、伝播路損失、又はフェージングピッチの少なくとも１つの情報に基づいて、前記自局の受信状態を検出することを特徴とする。
【００２２】
これにより、自局の受信状態を精度良く検出することができる。
【００２３】
本発明のハンドオーバ方法は、複数のセル毎に設けられる基地局と、前記複数のセルで構成されるエリア内を移動する移動局との間でデータの送受信を行い、前記データに基づいて通信相手を切り替えるハンドオーバ方法であって、自局の受信状態を検出する受信状態検出ステップと、前記検出された自局の受信状態に基づいて、相手局に送信するデータを制御する送信データ制御ステップとを備えることを特徴とする。
【００２４】
これにより、自局の受信状態に基づいて、相手局に送信するデータを制御する為、自局の受信状態に応じて適切にハンドオーバを行うことができる。
【００２５】
又、前記送信データ制御ステップでは、前記相手局に送信するデータの送信周期の変更又は前記相手局に送信するデータの送信タイミングの変更により、前記データの制御を行うことを特徴とする。
【００２６】
これにより、自局は、自身の急激な受信品質の劣化に追従できる為、適切なハンドオーバを行うことができる。
【００２７】
又、前記受信状態検出ステップでは、希望波受信信号電力、希望波受信信号電力対干渉波電力比、伝播路損失、フェージングピッチ、前記相手局との通信切断の有無、又は前記相手局との再通信の有無の少なくとも１つの情報に基づいて、前記自局の受信状態を検出することを特徴とする。
【００２８】
これにより、自局の受信状態を精度良く検出することができる。
【００２９】
本発明の無線通信装置は、複数のセル毎に設けられる基地局と、前記複数のセルで構成されるエリア内を移動する移動局との間でデータの送受信を行い、前記データに基づいて通信相手を切り替える移動通信に用いる無線通信装置であって、相手局の受信状態を検出する受信状態検出手段と、前記検出された相手局の受信状態に基づいて、前記相手局に送信するデータを制御する送信データ制御手段とを備えることを特徴とする。
【００３０】
これにより、相手局の受信状態に基づいて相手局に送信するデータを制御する為、相手局の受信状態に応じて適切にハンドオーバを行うことができる。
【００３１】
又、前記相手局に送信するデータの送信周期を変更するデータ送信周期変更手段を備え、前記送信データ制御手段は、前記データ送信周期変更手段による前記送信周期の変更に基づいて、前記データの制御を行うことを特徴とする。
【００３２】
これにより、自局は、相手局の急激な受信品質の劣化に追従できる為、適切なハンドオーバを行うことができる。
【００３３】
又、前記相手局に送信するデータの送信タイミングを変更するデータ送信タイミング変更手段を備え、前記送信データ制御手段は、前記データ送信タイミング変更手段による前記送信タイミングの変更に基づいて、前記データの制御を行うことを特徴とする。
【００３４】
これにより、自局は、相手局の急激な受信品質の劣化に追従できる為、適切なハンドオーバを行うことができる。
【００３５】
又、前記相手局に送信するデータに含まれる送信電力制御ビットの送信電力制御幅を変更する送信電力制御幅変更手段を備え、前記送信データ制御手段は、前記送信電力制御幅変更手段による前記送信電力制御幅の変更に基づいて、前記データの制御を行うことを特徴とする。
【００３６】
これにより、自局は、相手局の急激な受信品質の劣化に追従できる為、適切なハンドオーバを行うことができる。
【００３７】
又、前記相手局からのデータの再送要求の有無を検出する再送要求検出手段を備え、前記受信状態検出手段は、前記再送要求の有無に基づいて前記相手局の受信状態を検出することを特徴とする。
【００３８】
これにより、相手局の受信状態を相手局の再送要求から検出することができる。
【００３９】
又、前記相手局から送信されるデータに含まれる送信電力制御ビットを検出する送信電力制御ビット検出手段を備え、前記受信状態検出手段は、前記送信電力制御ビットに基づいて前記相手局の受信状態を検出することを特徴とする。
【００４０】
これにより、相手局の受信状態を送信電力制御ビットから検出することができる。
【００４１】
本発明の無線通信装置は、複数のセル毎に設けられる基地局と、前記複数のセルで構成されるエリア内を移動する移動局との間でデータの送受信を行い、前記データに基づいて通信相手を切り替える移動通信に用いる無線通信装置であって、自局の受信状態を検出する受信状態検出手段と、前記検出された自局の受信状態に基づいて、相手局から送信されるデータを制御する送信データ制御手段とを備えることを特徴とする。
【００４２】
これにより、自局の受信状態に基づいて相手局から送信されるデータを制御する為、自局の受信状態に応じて適切にハンドオーバを行うことができる。
【００４３】
又、前記相手局から送信されるデータの送信周期を変更するデータ送信周期変更手段を備え、前記送信データ制御手段は、前記データ送信周期変更手段による前記送信周期の変更に基づいて、前記データの制御を行うことを特徴とする。
【００４４】
これにより、相手局は、自局の急激な受信品質の劣化に追従できる為、適切なハンドオーバを行うことができる。
【００４５】
又、前記相手局から送信されるデータの送信タイミングを変更するデータ送信タイミング変更手段を備え、前記送信データ制御手段は、前記データ送信タイミング変更手段による前記送信タイミングの変更に基づいて、前記データの制御を行うことを特徴とする。
【００４６】
これにより、相手局は、自局の急激な受信品質の劣化に追従できる為、適切なハンドオーバを行うことができる。
【００４７】
又、前記相手局に送信するデータに含まれる送信電力制御ビットの送信電力制御幅を変更する送信電力制御幅変更手段を備え、前記送信データ制御手段は、前記送信電力制御幅変更手段による前記送信電力制御幅の変更に基づいて、前記データの制御を行うことを特徴とする。
【００４８】
これにより、相手局は、自局の急激な受信品質の劣化に追従できる為、適切なハンドオーバを行うことができる。
【００４９】
又、前記相手局に送信するデータに含まれる送信電力制御ビットを変更する送信電力制御ビット変更手段を備え、前記送信データ制御手段は、前記送信電力制御ビット変更手段による前記送信電力制御ビットの変更に基づいて、前記データの制御を行うことを特徴とする。
【００５０】
これにより、相手局は、自局の急激な受信品質の劣化に追従できる為、適切なハンドオーバを行うことができる。
【００５１】
又、前記自局の希望波受信信号電力を検出する希望波受信信号電力検出手段と、前記自局の希望波受信信号電力対干渉波電力比を検出する希望波受信信号電力対干渉波電力比検出手段と、前記自局の伝播路損失を検出する伝播路損失検出手段と、前記自局のフェージングピッチを検出するフェージングピッチ検出手段とを備え、前記受信状態検出手段は、希望波受信信号電力検出手段、希望波受信信号電力対干渉波電力比検出手段、伝播路損失検出手段、又はフェージングピッチ検出手段の少なくとも１つによる検出結果に基づいて、前記自局の受信状態を検出することを特徴とする。
【００５２】
これにより、希望波受信信号電力、希望波受信信号電力対干渉波電力比、伝播路損失、又はフェージングピッチの少なくとも１つの情報に基づいて、自局の受信状態を精度良く検出することができる。
【００５３】
本発明の無線通信装置は、複数のセル毎に設けられる基地局と、前記複数のセルで構成されるエリア内を移動する移動局との間でデータの送受信を行い、前記データに基づいて通信相手を切り替える移動通信に用いる無線通信装置であって、自局の受信状態を検出する受信状態検出手段と、前記検出された自局の受信状態に基づいて、相手局に送信するデータを制御する送信データ制御手段とを備えることを特徴とする。
【００５４】
これにより、自局の受信状態に基づいて、相手局に送信するデータを制御する為、自局の受信状態に応じて適切にハンドオーバを行うことができる。
【００５５】
又、前記相手局に送信するデータの送信周期を変更するデータ送信周期変更手段を備え、前記送信データ制御手段は、前記データ送信周期変更手段による前記送信周期の変更に基づいて、前記データの制御を行うことを特徴とする。
【００５６】
これにより、自局は、自身の急激な受信品質の劣化に追従できる為、適切なハンドオーバを行うことができる。
【００５７】
又、前記相手局に送信するデータの送信タイミングを変更するデータ送信タイミング変更手段を備え、前記送信データ制御手段は、前記データ送信タイミング変更手段による前記送信タイミングの変更に基づいて、前記データの制御を行うことを特徴とする。
【００５８】
これにより、自局は、自身の急激な受信品質の劣化に追従できる為、適切なハンドオーバを行うことができる。
【００５９】
又、前記自局の希望波受信信号電力を検出する希望波受信信号電力検出手段と、前記自局の希望波受信信号電力対干渉波電力比を検出する希望波受信信号電力対干渉波電力比検出手段と、前記自局の伝播路損失を検出する伝播路損失検出手段と、前記自局のフェージングピッチを検出するフェージングピッチ検出手段と、前記相手局との通信切断の有無を検出する通信切断検出手段と、前記相手局との通信の再接続の有無を検出する再接続検出手段とを備え、前記受信状態検出手段は、希望波受信信号電力検出手段、希望波受信信号電力対干渉波電力比検出手段、伝播路損失検出手段、フェージングピッチ検出手段、通信切断検出手段、又は再接続検出手段の少なくとも１つの検出結果に基づいて、前記自局の受信状態を検出することを特徴とする。
【００６０】
これにより、希望波受信信号電力、希望波受信信号電力対干渉波電力比、伝播路損失、フェージングピッチ、相手局との通信切断の有無、又は相手局との通信の再接続の有無の少なくとも１つの情報に基づいて、自局の受信状態を精度良く検出することができる。
【００６１】
【発明の実施の形態】
以下、図面を参照して本発明の実施形態を説明する。
図１は本発明の第一実施形態に係る無線通信装置の構成を示すブロック図である。
【００６２】
本実施形態に係る無線通信装置は、例えばセルラー通信システムの基地局あるいは移動局を構成する移動体通信機器に設けられ、伝送情報、ハンドオーバにおける基地局の追加情報（追加イベント）、及び基地局の削除情報（削除イベント）を含むデータを電力増幅したり、送信タイミングや送信周期を変更したりして通信相手に対して送信するものである。
【００６３】
例えば、追加イベントや削除イベントを含むデータを受信した基地局は、そのデータに基づいて、移動局との通信を切断したり、移動局と通信を開始したりすることで、ハンドオーバが行われる。
【００６４】
無線通信装置１は、無線信号を送受信するアンテナ１１と、送信データと受信データとを分離する送受分離器１２とを有し、受信系として、受信データを高周波増幅すると共にＩＦ（中間周波）帯域に周波数変換した中間周波（ＩＦ）信号を出力する高周波増幅回路、局部発振回路、ＩＦ信号増幅回路などを備えた無線受信部３０と、受信データをベースバンド信号に変換する復調部１５と、受信したベースバンド信号の信号処理や復号化等を行うベースバンド信号処理部１７とを有して構成される。
【００６５】
又、送信系として、送信するベースバンド信号の信号処理や符号化等を行うベースバンド信号処理部１７と、送信データを変調してＩＦ信号に変換する変調部１４と、送信データの電力増幅及びＲＦ帯（無線周波帯域）への周波数変換等を行う無線送信部２９とを有している。尚、無線送信部２９には、可変電力増幅器１３が設けられている。
【００６６】
更に、無線通信装置１は、送信電力制御系及び送信データ制御系として、ベースバンド信号処理部１７及び可変電力増幅器１３を有すると共に、可変電力増幅器１３の利得を制御して送信電力制御を行う可変電力増幅制御部１６と、ベースバンド信号処理部１７から出力された相手局の受信波及び自局の受信状態から相手局及び自局の受信状態を検出する受信状態検出部１９と、受信状態検出部１９の出力結果から相手局に送信するデータ又は相手局から自局に送信されるデータを制御するデータ制御部１８とを有している。
【００６７】
図１に示した構成の装置が移動局である場合、自局の希望波受信信号電力（ＲＳＣＰ）を検出するＲＳＣＰ検出部２３と、自局の希望波受信信号電力対干渉波電力比（ＳＩＲ）を検出するＳＩＲ検出部２４と、自局の伝播路損失（Ｐａｔｈｌｏｓｓ）を検出するＰａｔｈｌｏｓｓ検出部２５と、自局のフェージングピッチを検出するフェージングピッチ検出部２６と、基地局との呼切断の有無を検出する呼切断検出部２７と、基地局との再接続の有無を検出する再接続検出部２８と、基地局からの再送要求の有無を検出する再送要求検出部３１と、基地局から送信されるデータに含まれる送信電力制御ビットを検出する送信電力制御ビット検出部３２とによって検出された各種情報に基づいて、受信状態検出部１９は基地局又は自局の受信状態を検出する。
【００６８】
データ制御部１８は、受信状態検出部１９の検出結果に基づいて、基地局に送信するデータに挿入する送信電力制御ビットの送信電力制御幅を変更する送信電力制御幅変更部２０と、基地局から自局へ送信されるデータ又は自局から基地局に送信するデータの送信周期を変更するデータ送信周期変更部２１と、基地局から自局へ送信されるデータ又は自局から基地局に送信するデータの送信タイミングを変更するデータ送信タイミング変更部２２と、基地局に送信するデータに挿入する送信電力制御ビットを変更する送信電力制御ビット変更部３３とを制御して、基地局から自局へ送信されるデータ又は自局から基地局に送信するデータを制御する。
【００６９】
ベースバンド信号処理部１７は、基地局からの受信波（希望波）の受信電力に基づいて送信電力制御ビットを決定し、データの中にこの決定した送信電力制御ビットを挿入する。データは、変調部２２により変調されてＩＦ帯に周波数変換され、さらに無線送信部２９によりＲＦ帯まで周波数変換された後、送受分離器１２を経由してアンテナ１１から基地局に向けて送信される。
【００７０】
一方、基地局から送信されたデータはアンテナ１１で受信され、この受信データは送受分離器１２を経由して無線受信部３０に入力され、無線受信部３０によりＩＦ帯に周波数変換され、復調部１５によりベースバンド信号に変換された後、ベースバンド信号処理部１７に入力される。ベースバンド信号処理部１７は、復調部１５から出力されたベースバンド信号に基づいて送信電力制御ビットを抽出し、送信電力制御ビットに従い可変電力増幅器制御部１６によって自局の送信電力を制御する。
【００７１】
次に、本実施形態に係る無線通信装置を用いたハンドオーバ方法の手順を説明する。
図２は、本実施形態に係る無線通信装置を用いたハンドオーバ方法の第一の手順を示すフローチャートである。
【００７２】
図２において、移動局と基地局とが通信する場合、基地局は、移動局の受信波（希望波）の受信電力に基づいて送信電力制御ビットを決定し（Ｓ１０１）、移動局に送信するデータを制御した後（Ｓ１１０）、決定した送信電力制御ビットをデータの中に挿入して移動局に送信する。
【００７３】
移動局は、基地局から送信されたデータを受信し、そのデータから送信電力制御ビットを抽出する（Ｓ２０４）。そして、抽出した送信電力制御ビットにしたがって、自局の送信電力を制御する（Ｓ２０６）。
【００７４】
一方、移動局は、再送要求の検出（Ｓ２０２）又は送信電力制御ビットの検出（Ｓ２０３）の少なくとも一方の検出結果に基づいて基地局の受信状態を検出し（Ｓ２０５）、検出された基地局の受信状態に基づいて、送信電力制御ビットの送信電力制御幅の変更（Ｓ２０７）、基地局に送信するデータのデータ送信周期の変更（Ｓ２０８）、又は基地局に送信するデータのデータ送信タイミングの変更（Ｓ２０９）の少なくとも１つを行って基地局に送信するデータを制御する（Ｓ２１０）
【００７５】
図３は、図２のＳ２０２で再送要求が検出された場合に、送信電力制御幅変更部２０によって送信電力制御幅が変更された状態を示すタイミングチャートである。図３（ａ）は、移動局で受信したデータに含まれる送信電力制御ビットの時間変化を示すタイミングチャート、図３（ｂ）は、移動局から基地局に送信するデータに挿入される送信電力制御ビットの時間変化を示すタイミングチャートである。
【００７６】
図３に示したように、基地局から再送要求があった場合は、基地局の受信品質が悪いと推定できる為、送信電力制御幅変更部２０によって図３（ｂ）に示したように１制御あたりの送信電力制御幅を増加させる。
【００７７】
このようにすることで、基地局における受信品質の急激な劣化に移動局が追従できる為、ハンドオーバ時の基地局に対するイベント報告を適切に行うことができる。
【００７８】
図４は、図２のＳ２０３で移動局において、送信電力制御ビットが“＋１”又は“−１”を連続していた場合に、送信電力制御幅変更部２０によって送信電力制御幅が変更された状態を示すタイミングチャートである。図４（ａ）は、移動局で受信したデータに含まれる送信電力制御ビットの時間変化を示すタイミングチャート、図４（ｂ）は、移動局から基地局に送信するデータに挿入される送信電力制御ビットの時間変化を示すタイミングチャートである。
【００７９】
図４（ａ）において、送信電力制御ビットが連続して“＋１”であった場合、基地局の受信品質が劣化したと推定できる為、送信電力制御幅変更部２０によって、図４（ｂ）に示したように１制御あたりの送信電力制御幅を増加させる。
【００８０】
このようにすることで、基地局における受信品質の急激な劣化に移動局が追従できる為、ハンドオーバ時の基地局に対するイベント報告を適切に行うことができる。
【００８１】
次に、図２のＳ２０８でデータ送信周期を変更する場合について説明する。図５は、移動局が基地局Ｘとの通信中に基地局Ｙからの受信電力が増大し、移動局が基地局Ｙに対して基地局追加イベントを報告する際の例を示す図である。
【００８２】
本実施形態では、基地局Ｙの受信電力がしきい値Ｌを超えた場合に、移動局が基地局Ｙに対して基地局追加イベントを報告するものとする。図５に示したように、基地局Ｙの受信電力がしきい値Ｌを超えた時点（図中のａ点）で、基地局追加イベントの報告が始まるが、基地局Ｙの受信品質が劣化していると考えられる場合は、この基地局追加イベント報告周期をデータ送信周期変更部２１によって短くする。
【００８３】
このようにすることで、基地局Ｙの受信電力が急激に劣化した場合でも、その受信品質劣化に移動局が追従できる為、ハンドオーバにおける適切なイベント報告が可能となる。
【００８４】
次に、図２のＳ２０９でデータ送信タイミングを変更する場合について説明する。図６は、移動局が基地局Ｘとの通信中に基地局Ｙからの受信電力が増大し、移動局が基地局Ｙに対して基地局追加イベントを報告する際の例を示す図である。
【００８５】
本実施形態では、基地局Ｙの受信電力がしきい値Ｌを超えた場合に、移動局が基地局Ｙに対して基地局追加イベントを報告するものとする。図６に示したように、基地局Ｙの受信電力がしきい値Ｌを超えた時点（図中のｂ点）で、基地局追加イベントの報告が始まるが、基地局Ｙの受信品質が劣化していると考えられる場合は、移動局では、一定の報告待ち時間Ｔをおいてから（図中のｃ点）、基地局Ｙに対して基地局追加イベントを報告するようにする。
【００８６】
このようにすることで、基地局Ｙの受信電力が急激に劣化した場合でも、その受信品質劣化に移動局が追従できる為、ハンドオーバにおける適切なイベント報告が可能となる。
【００８７】
次に移動局は、Ｓ２０１で決定した送信電力制御ビットをデータの中に挿入し、基地局に対して送信する。基地局は、移動局から送信されたデータを受信し、そのデータの中から送信電力制御ビットを抽出する（Ｓ１０４）。そして、抽出した送信電力制御ビットに従い、自局の送信電力を制御する（Ｓ１０６）
【００８８】
尚、基地局でのＳ１０２、Ｓ１０３、Ｓ１０５、Ｓ１０７、Ｓ１０８、Ｓ１０９、及びＳ１１０の処理は、移動局でのステップＳ２０２、Ｓ２０３、Ｓ２０５、Ｓ２０７、Ｓ２０８、Ｓ２０９、及びＳ２１０の処理と同様である為、説明を省略する。
【００８９】
以上示したように、本実施形態に係る無線通信装置を用いたハンドオーバ方法の第一の手順によれば、相手局の受信状態に応じて、自局から相手局に送信するデータの送信電力制御幅の変更、データ送信周期の変更、又はデータ送信タイミングの変更を行う為、相手局の受信品質の急激な劣化に対して自局が追従できる。したがって、ハンドオーバにおける適切なイベント報告が可能となる。
【００９０】
次に、本実施形態に係る無線通信装置を用いたハンドオーバ方法の第二の手順について説明する。
図７は、本実施形態に係る無線通信装置を用いたハンドオーバ方法の第二の手順を示すフローチャートである。
【００９１】
図７において、移動局と基地局とが通信する場合、基地局は、移動局の受信波（希望波）の受信電力に基づいて送信電力制御ビットを決定し（Ｓ３０１）、移動局に送信するデータを制御した後（Ｓ３１３）、決定した送信電力制御ビットをデータの中に挿入して移動局に送信する。
【００９２】
移動局は、基地局から送信されたデータを受信し、そのデータから送信電力制御ビットを抽出する（Ｓ４０６）。そして、抽出した送信電力制御ビットに基づいて、自局の送信電力を制御する（Ｓ４０８）。
【００９３】
次に移動局は、自局のＲＳＣＰの検出（Ｓ４０２）、自局のＳＩＲの検出（Ｓ４０３）、自局のＰａｔｈｌｏｓｓの検出（Ｓ４０４）、又は自局のフェージングピッチの検出（Ｓ４０５）のうち少なくとも１つの検出を行い、その検出結果に基づいて自局の受信状態を検出する（Ｓ４０７）。
【００９４】
例えば、ＲＳＣＰ及びＳＩＲが大きく、Ｐａｔｈｌｏｓｓが小さい場合は、自局の受信品質が良いと推定できる。又、フェージングピッチが小さい場合は、自局の受信電力の変化速度が大きいと推定できる。
【００９５】
尚、ＲＳＣＰ、ＳＩＲ、Ｐａｔｈｌｏｓｓ、又はフェージングピッチのうちの少なくとも２つの検出結果の組み合わせによって、より高精度に自局の受信状態を検出することができる。例えば、受信電力の変化速度が小さくて且つ受信電力の増加量が多い場合は、自局がビル影外等に低速で移動中であると推定できる。
【００９６】
次に移動局では、Ｓ４０７で検出された自局の受信状態に基づいて、自局の送信電力制御ビットの変更（Ｓ４０９）、自局の送信電力制御ビットの送信電力制御幅の変更（Ｓ４１０）、基地局から自局に送信されてくるデータのデータ送信周期の変更（Ｓ４１１）、又は基地局から自局に送信されてくるデータのデータ送信タイミングの変更（Ｓ４１２）の少なくとも１つの変更処理によって、基地局から自局に送信されてくるデータの制御を行う。
【００９７】
例えば、自局の受信品質が劣化したと推定できる場合、Ｓ４０９で送信電力制御ビット変更部３３によって、送信電力制御ビットを連続して“＋１”に変更する。又は、Ｓ４１０で送信電力制御幅変更部２０によって、１制御あたりの送信電力制御ビットの送信電力制御幅を増加させる。
【００９８】
このようにすることで、基地局では、受信したデータに含まれる送信電力制御ビットが連続して“＋１”になっている為、移動局の受信品質が劣化したことを判断できる。この為、基地局が、移動局に送信するデータに含まれる送信電力制御ビットの送信電力制御幅を増加させることで、移動局の受信品質の劣化に追従できる。したがって、移動局は、自身の受信品質が劣化した場合でも、ハンドオーバ時に適切なイベント受信を行うことができる。
【００９９】
又、自局の受信品質が劣化した場合及び受信電力の変化速度が大きい場合は、自局の受信品質が急激に劣化していると推定できる為、Ｓ４１１でデータ送信周期変更部２１によって、基地局から移動局へ送信されてくるデータの送信周期を短くするように変更したり、Ｓ４１２でデータ送信タイミング変更部２２によって、基地局から移動局へ送信されてくるデータの送信タイミングを変更したりする。
【０１００】
このようにすることで、自局の受信品質が急激に劣化した場合でも、基地局が自局の受信品質の劣化に追従できる為、ハンドオーバ時に適切なイベント受信を行うことができる。
【０１０１】
又、受信電力の変化速度が大きくて且つ受信電力の増加量が大きい場合は、自局がビル影外等に高速で移動中であると推定できる為、Ｓ４１０で自局の１制御あたりの送信電力制御ビットの送信電力制御幅を減少させる。
【０１０２】
このようにすることで、データを受信した基地局の送信電力を急激に減少させることができる為、基地局から送信される基地局送信波によって発生する他の移動局への干渉を抑えることができる。したがって、移動局は、自局の受信品質が急激に向上した場合でも、基地局からの干渉を受けることなく、ハンドオーバ時に適切なイベント受信を行うことができる。
【０１０３】
次に移動局は、Ｓ４０１で決定した送信電力制御ビットをデータの中に挿入し、基地局に対して送信する。基地局は、移動局から送信されたデータを受信し、そのデータから送信電力制御ビットを抽出する（Ｓ３０６）。そして、抽出した送信電力制御ビットに基づいて自局の送信電力を制御する（Ｓ３０８）。
【０１０４】
尚、Ｓ３０２、Ｓ３０３、Ｓ３０４、Ｓ３０５、Ｓ３０７、Ｓ３０９、Ｓ３１０、Ｓ３１１、及びＳ３１２の処理は、Ｓ４０２、Ｓ４０３、Ｓ４０４、Ｓ４０５、Ｓ４０７、Ｓ４０９、Ｓ４１０、Ｓ４１１、及びＳ４１２の処理と同様である為、説明を省略する。
【０１０５】
以上説明したように、本実施形態に係る無線通信装置を用いたハンドオーバ方法の第二の手順によれば、自局の受信状態に応じて、相手局から自局に送信されるデータを制御する為、自局は、自身の受信品質が劣化した場合でも、ハンドオーバ時に適切なイベント受信を行うことができる。
【０１０６】
次に、本実施形態に係る無線通信装置を用いたハンドオーバ方法の第三の手順について説明する。
図８は、本実施形態に係る無線通信装置を用いたハンドオーバ方法の第三の手順を示すフローチャートである。
【０１０７】
図８において、移動局と基地局とが通信する場合、基地局は、移動局の受信波（希望波）の受信電力に基づいて送信電力制御ビットを決定し（Ｓ５０１）、移動局に送信するデータを制御した後（Ｓ５１３）、決定した送信電力制御ビットをデータの中に挿入して移動局に送信する。
【０１０８】
移動局は、基地局から送信されたデータを受信し、そのデータから送信電力制御ビットを抽出する（Ｓ６０８）。そして、抽出した送信電力制御ビットに基づいて、自局の送信電力を制御する（Ｓ６１０）。
【０１０９】
次に移動局は、自局のＲＳＣＰの検出（Ｓ６０２）、自局のＳＩＲの検出（Ｓ６０３）、自局のＰａｔｈｌｏｓｓの検出（Ｓ６０４）、自局のフェージングピッチの検出（Ｓ６０５）、自局の呼切断の検出（Ｓ６０６）、又は自局の再接続の検出（Ｓ６０７）のうち少なくとも１つの検出を行い、その検出結果に基づいて自局の受信状態を検出する（Ｓ６０９）。
【０１１０】
例えば、ＲＳＣＰ及びＳＩＲが大きく、Ｐａｔｈｌｏｓｓが小さい場合は、自局の受信品質が良いと推定できる。又、フェージングピッチが小さい場合は、自局の受信電力の変化速度が大きいと推定できる。
【０１１１】
又、呼切断が検出された場合は、以前に自局と通信していた基地局の受信品質が悪いと推定できる。又、再接続が検出された場合は、以前に通信していた基地局の受信品質が良いと推定できる。
【０１１２】
尚、ＲＳＣＰ、ＳＩＲ、Ｐａｔｈｌｏｓｓ、フェージングピッチ、呼接続、又は再接続のうちの少なくとも２つの検出結果を組み合わせることで、より高精度に自局の受信状態を検出することができる。例えば、受信電力の変化速度が小さくて且つ受信電力の増加量が多い場合は、自局がビル影外等に低速で移動中であると推定できる。
【０１１３】
次に移動局は、Ｓ６０９で検出した自局の受信状態に基づいて、相手局に送信するデータのデータ送信周期の変更（Ｓ６１１）又は相手局に送信するデータのデータ送信タイミングの変更（Ｓ６１２）の少なくとも一方を行い、相手局に送信するデータを制御する（Ｓ６１３）。
【０１１４】
例えば、自局の受信品質が劣化した場合及び受信電力の変化速度が大きい場合は、自局の受信品質が急激に劣化していると推定できる為、Ｓ６１１でデータ送信周期変更部２１によって、基地局へ送信するデータの送信周期を短くするように変更したり、Ｓ６１２でデータ送信タイミング変更部２２によって、基地局に送信するデータの送信タイミングを変更したりする。
【０１１５】
このようにすることで、自局の受信品質が急激に劣化した場合でも、自局が、自身の受信品質の劣化に追従できる為、ハンドオーバ時に適切なイベント報告を行うことができる。
【０１１６】
又、受信電力の変化速度が小さくて且つ受信電力の増加量が大きい場合は、自局がビル影外等に低速で移動中であると推定できる為、Ｓ６１１で基地局に送信するデータのデータ送信周期を短くしたり、Ｓ６１２で基地局に送信するデータのデータ送信タイミングを早くしたりする。このようにすることで、ハンドオーバ時に適切なイベント報告を行うことができる。
【０１１７】
又、移動局がＳ６０６で呼切断を検出した場合は、以前に通信していた基地局の受信品質が劣化したと推定できる為、その基地局の受信電力に所定のオフセットを設けても良い。
【０１１８】
図９は、移動局が基地局Ｘ、Ｙと通信中に、基地局Ｙとの通信が呼切断により切断された場合に、基地局Ｙに対して削除イベントを報告する例を説明する為の図である。尚、同図において、図５及び図６と同様のものには同一符号を付してある
【０１１９】
図９に示したように、基地局Ｙは呼切断により切断された基地局である為、移動局は基地局Ｙの受信品質が劣化したものと推定し、本来なら図中Ａの時点で基地局Ｙに対して削除イベントを報告するが、オフセットＯにより基地局Ｙの受信電力をオフセット分下げる（図中のｙ）ことで、削除イベント報告を図中Ｂの時点で行うようにする。
【０１２０】
このようにすることで、基地局Ｙの削除にかかる時間を短縮することができる。
【０１２１】
更に、移動局がＳ６０７で再接続を検出した場合は、以前に通信していた基地局の受信品質が向上していると推定できる為、その基地局の受信電力に所定のオフセットを設けても良い。
【０１２２】
図１０は、移動局が基地局Ｘと通信中に、基地局Ｙと再接続を行った場合に、基地局Ｙに対して追加イベントを報告する例を説明する為の図である。尚、同図において、図５及び図６と同様のものには同一符号を付してある
【０１２３】
図１０に示したように、移動局は基地局Ｙと再接続を行っている為、基地局Ｙの受信品質が向上していると推定し、本来なら図中Ｃの時点で基地局Ｙに対して追加イベントを報告するが、オフセットＯにより基地局Ｙの受信電力をオフセット分上げる（図中のｙ）ことで、追加イベント報告を図中Ｄの時点で行うようにする。
【０１２４】
このようにすることで、基地局Ｙの追加にかかる時間を短縮することができる。
【０１２５】
次に、図８のフローチャートに戻って、移動局は、Ｓ６０１で決定した送信電力制御ビットをデータの中に挿入し、基地局に対して送信する。基地局は、移動局から送信されたデータを受信し、そのデータから送信電力制御ビットを抽出する（Ｓ５０８）。そして、抽出した送信電力制御ビットに基づいて、自局の送信電力を制御する（Ｓ５１０）。
【０１２６】
尚、Ｓ５０２、Ｓ５０３、Ｓ５０４、Ｓ５０５、Ｓ５０６、Ｓ５０７、Ｓ５０９、Ｓ５１１、及びＳ５１２の処理は、Ｓ６０２、Ｓ６０３、Ｓ６０４、Ｓ６０５、Ｓ６０６、Ｓ６０７、Ｓ６０９、Ｓ６１１、及びＳ６１２の処理と同様である為、説明を省略する。
【０１２７】
以上説明したように、本実施形態に係る無線通信装置を用いたハンドオーバ方法の第三の手順によれば、自局の受信状態に応じて、相手局に送信するデータの送信周期の変更及びデータの送信タイミングの変更を行う為、自局の受信品質が劣化した場合でも、自局が自身の受信品質の劣化に追従できる。したがって、ハンドオーバ時に適切なイベント報告を行うことができる。
【０１２８】
又、通信していた基地局の受信品質が推定できる為、基地局の追加イベントや削除イベント報告に所定のオフセットを設けることで、ハンドオーバにおける基地局の追加時間や削除時間を短縮することができる。
【０１２９】
【発明の効果】
本発明によれば、自局又は相手局の受信状態に応じて適切なハンドオーバを行うことができるハンドオーバ方法及び無線通信装置を提供することができる。
【図面の簡単な説明】
【図１】本発明の第一実施形態に係る無線通信装置の構成を示すブロック図である。
【図２】本実施形態に係る無線通信装置を用いたハンドオーバ方法の第一の手順を示すフローチャートである。
【図３】図３（ａ）は、移動局で受信したデータに含まれる送信電力制御ビットの時間変化を示すタイミングチャート、図３（ｂ）は、移動局から基地局に送信するデータに挿入される送信電力制御ビットの時間変化を示すタイミングチャートである。
【図４】図４（ａ）は、移動局で受信したデータに含まれる送信電力制御ビットの時間変化を示すタイミングチャート、図４（ｂ）は、移動局から基地局に送信するデータに挿入される送信電力制御ビットの時間変化を示すタイミングチャートである。
【図５】移動局が基地局Ｘとの通信中に基地局Ｙからの受信電力が増大し、移動局が基地局Ｙに対して基地局追加イベントを報告する際の例を示す図である。
【図６】移動局が基地局Ｘとの通信中に基地局Ｙからの受信電力が増大し、移動局が基地局Ｙに対して基地局追加イベントを報告する際の例を示す図である。
【図７】本実施形態に係る無線通信装置を用いたハンドオーバ方法の第二の手順を示すフローチャートである。
【図８】本実施形態に係る無線通信装置を用いたハンドオーバ方法の第三の手順を示すフローチャートである。
【図９】移動局が基地局Ｘ、Ｙと通信中に、基地局Ｙとの通信が呼切断により切断された場合に、基地局Ｙに対して削除イベントを報告する例を説明する為の図である。
【図１０】移動局が基地局Ｘと通信中に、基地局Ｙと再接続を行った場合に、基地局Ｙに対して追加イベントを報告する例を説明する為の図である。
【図１１】クローズドループによる従来の送信電力制御方法の一例を示したフローチャートである。
【符号の説明】
１  無線通信装置
１１  アンテナ
１２  送受分離器
１３  可変電力増幅器
１４  変調部
１５  復調部
１６  可変電力増幅器制御部
１７  ベースバンド信号処理部
１８  データ制御部
１９  受信状態検出部
２０  送信電力制御幅変更部
２１  データ送信周期変更部
２２  データ送信タイミング変更部
２３  ＲＳＣＰ検出部
２４  ＳＩＲ検出部
２５  Ｐａｔｈｌｏｓｓ検出部
２６  フェージングピッチ検出部
２７  呼切断検出部
２８  再接続検出部
２９  無線送信部
３０  無線受信部
３１  再送要求検出部
３２  送信電力制御ビット検出部
３３  送信電力制御ビット変更部
【図１】
2004208177.tif 000003
【図２】
2004208177.tif 000004
【図３】
2004208177.tif 000005
【図４】
2004208177.tif 000006
【図５】
2004208177.tif 000007
【図６】
2004208177.tif 000008
【図７】
2004208177.tif 000009
【図８】
2004208177.tif 000010
【図９】
2004208177.tif 000011
【図１０】
2004208177.tif 000012
【図１１】
2004208177.tif 000013